(57)【要約】【課題】  マルチスライス用のＸ線検出器に対応するＸ線曝射範囲を、投光器を用いて被検体上に明確に表示する。【解決手段】  操作パネル６の各操作キー６ａ，６ｂを操作して、幅形成レンズ４と平行レンズ５との間の距離を可変することで、光発生器２からの光マーカの光幅を調整し被検体上に照射する。この光マーカの各端は、マルチスライス用のＸ線検出器のＸ線検出器列の幅に対応しており、Ｘ線曝射範囲を示すようになっている。これにより、マルチスライス用のＸ線検出器に対応するＸ線曝射範囲を、撮影前に明確に被検体上に表示することができる。【選択図】  図１
2010162385.tif 000002
【特許請求の範囲】
【請求項１】
複数のＸ線検出素子を被検体の体軸方向に直交する方向に１列状に配列してなるＸ線検出
器列を、前記被検体の体軸方向に複数列分備えたＸ線検出手段と、
前記Ｘ線検出手段に対応して曝射されるＸ線の、前記被検体の体軸方向に沿った曝射範
囲を前記被検体上に示す曝射範囲表示手段と、
前記曝射範囲表示手段で設定されたＸ線の曝射範囲に基づいて撮像条件を自動的に設定す
る撮像条件設定手段と、
前記撮像条件設定手段で設定された撮像条件に基づいて撮像を制御する撮像制御手段と
、
を有することを特徴とするＸ線ＣＴ装置。
【請求項２】
前記撮像条件設定手段は、前記曝射範囲表示手段で設定されたＸ線の曝射範囲に対応する
スライス厚に基づいて撮像条件を自動的に設定することを特徴とする請求項１記載のＸ線
ＣＴ装置。
【発明の詳細な説明】
【技術分野】
【０００１】
本発明は、被検体の体軸方向に複数列分のＸ線検出器列を有する、いわゆるマルチスラ
イス用のＸ線検出器が設けられたＸ線ＣＴ装置に関し、特に、マルチスライス用のＸ線検
出器に対応して曝射されるＸ線の照射範囲（Ｘ線の幅）を表示可能としたＸ線ＣＴ装置に
関する。
【背景技術】
【０００２】
従来、Ｘ線ＣＴ装置においては、被検体の断層像を撮影する際に、投光器を用いて予め
撮影位置の位置決めを行うようになっている。投光器は、例えば図５に示すように架台回
転部１００のガントリ１０１の上側（投光器１０２）及び左右横側（投光器１０３，１０
４）にそれぞれ設けられており、寝台１０５に載置された被検体に対して例えばレーザ光
等による光マーカを照射して表示する。
【０００３】
図６に、被検体の頭部撮影時における、前記ガントリ１０１の左横側に設けられた投光
器１０３から被検体に照射される光マーカＭを示す。この図６からわかるように頭部撮影
の場合、ガントリ１０１の左横側に設けられた投光器１０３からの光マーカＭは、一般的
に被検体の右目尻と右耳孔とを結ぶラインであるＯＭラインに合わせて照射される。なお
、前記ガントリ１０１の右横側に設けられた投光器１０４からの光マーカも、この投光器
１０３からの光マーカＭと同様に被検体の左目尻と左耳孔とを結ぶラインであるＯＭライ
ンに合わせて照射される。これに対して、前記ガントリ１０１の上側に設けられた投光器
１０２からの光マーカは、左右の対称性をみるために被検体の鼻から体軸方向に沿って被
検体を左右２等分するラインである正中ラインに合わせて照射される。
【０００４】
操作者は、各投光器１０２〜１０４から被検体に照射される光マーカが、前記各ライン
と合うように、寝台１０５を上下駆動及びスライド駆動して撮像位置の調整を行う。そし
て、この撮像位置の調整後に、被検体の断層像の撮影に移行する。
【０００５】
撮影時となると、図７に示すようにそれぞれ相対向する位置関係を保持した状態でＸ線
管１１０及びＸ線検出器１１１が回転駆動され、該Ｘ線管１１０が、断続的或いは連続的
にＸ線を曝射するように駆動される。Ｘ線検出器１１１は、Ｘ線検出素子を被検体の体軸
方向と直交する方向に一列状に複数配列して形成されており、被検体に対してＸ線が曝射
されることで形成されたＸ線像を前記複数のＸ線検出素子で取り込み、このＸ線量に対応
する電気信号である投影データを形成してデータ収集部（ＤＡＳ）に供給する。
【０００６】
データ収集部は、Ｘ線検出器１１１からの投影データを収集し、画像再構成部に供給す
る。画像再構成部は、この投影データに基づいて、例えばバックプロジェクション法等の
画像再構成技術を用いて被検体の所望の部位の再構成画像を形成し、これをモニタ装置や
画像記憶装置等に供給する。これにより、被検体の所望の部位の断層像をモニタ装置にモ
ニタ表示し、或いは記憶装置に記憶することができる。
【０００７】
ここで、Ｘ線ＣＴ装置には、前述のように複数のＸ線検出素子を被検体の体軸方向と直
交する方向に一列状に配列して形成されたシングルスライス用のＸ線検出器１１１が設け
られており、これにより断層像を１枚ずつ撮影するのが一般的なのであるが、近年におい
ては、図８に示すように複数のＸ線検出素子１１５を被検体の体軸方向と直交する方向に
一列状に配列して形成したＸ線検出器列１１６を、被検体の体軸方向に沿って複数列分有
するマルチスライス用のＸ線検出器１１７が設けられたＸ線ＣＴ装置が知られている。な
お、この図８は、Ｘ線検出器列１１６を被検体の体軸方向に沿って２列分設けたデュアル
スライス用のＸ線検出器である。
【０００８】
このマルチスライス用のＸ線検出器１１７が設けられたＸ線ＣＴ装置においては、一度
のＸ線の曝射により形成されたＸ線像を、該Ｘ線検出器１１７の各Ｘ線検出器列１１６で
取り込む。これにより、一度のＸ線の曝射で、被検体の体軸方向に直交する方向の投影デ
ータ及び被検体の体軸方向の投影データを一度に収集することができ、投影データの３次
元的な収集を可能とすることができる。
【先行技術文献】
【特許文献】
【０００９】
【特許文献１】特開平１１−２０６７５１号公報
【発明の概要】
【発明が解決しようとする課題】
【００１０】
このマルチスライス用のＸ線検出器１１７が設けられたＸ線ＣＴ装置において、前記投
影データの３次元的な収集を可能とするためには、被検体の体軸方向に沿って設けられて
いる各Ｘ線検出器列１１６でそれぞれＸ線像が取り込まれるようにする必要がある。この
ため、図８に示すようにＸ線管１１０から被検体に曝射されるＸ線は、必然的に被検体の
体軸方向に沿った幅Ｈ（前記Ｘ線検出器列１１６の列方向の幅）を有するものとなる。
【００１１】
しかし、従来のＸ線ＣＴ装置に設けられている投光器（前記投光器１０２〜１０４）は
、Ｘ線検出器としてシングルスライス用のＸ線検出器が設けられていることを前提に設け
られていたため、撮影位置（スライス位置）を点或いは線で被検体上に表示するようにな
っている。このため、このような投光器を、マルチスライス用のＸ線検出器１１７が設け
られたＸ線ＣＴ装置に設けたのでは、前記被検体の体軸方向に沿った幅を有するＸ線の曝
射範囲であるスライス範囲を正確に表示することはできず、撮影位置の正確な位置決めが
困難となる。
【００１２】
本発明は、上述の課題に鑑みてなされたものであり、マルチスライス用のＸ線検出器を
用いて投影データの３次元的な収集を行う場合でも、操作者に対してＸ線曝射範囲を正確
に表示することができ、撮影位置の正確な位置決めを可能とすることができ、またＸ線の
曝射範囲の設定後に新ためてスキャンプランの入力を行う手間を省略することができ、当
該Ｘ線ＣＴ装置の操作性の向上及び利便性の向上を図ることができるようなＸ線ＣＴ装置
の提供を目的とする。
【課題を解決するための手段】
【００１３】
本発明に係るＸ線ＣＴ装置は、複数のＸ線検出素子を被検体の体軸方向に直交する方向
に１列状に配列してなるＸ線検出器列を、前記被検体の体軸方向に複数列分備えたＸ線検
出手段と、前記Ｘ線検出手段に対応して曝射されるＸ線の、前記被検体の体軸方向に沿っ
た曝射範囲を前記被検体上に示す曝射範囲表示手段と、前記曝射範囲表示手段で設定され
たＸ線の曝射範囲に基づいて撮像条件を自動的に設定する撮像条件設定手段と、前記撮像
条件設定手段で設定された撮像条件に基づいて撮像を制御する撮像制御手段と、を有する
ことを特徴とする。
【００１４】
このようなＸ線ＣＴ装置は、曝射範囲表示手段が、Ｘ線検出手段に対応して曝射される
Ｘ線の曝射範囲を被検体上に示す。これにより、投影データの３次元的な収集を行う場合
でも、操作者に対してＸ線曝射範囲を正確に表示することができ、撮影位置の正確な位置
決めを可能とすることができる。
【発明の効果】
【００１５】
本発明に係るＸ線ＣＴ装置は、Ｘ線検出手段に対応して曝射されるＸ線の曝射範囲を被
検体上に示すことができるため、マルチスライス用のＸ線検出器を用いて投影データの３
次元的な収集を行う場合でも、操作者に対してＸ線曝射範囲を正確に表示することができ
、撮影位置の正確な位置決めを可能とすることができ、またＸ線の曝射範囲の設定後に新
ためてスキャンプランの入力を行う手間を省略することができ、当該Ｘ線ＣＴ装置の操作
性の向上及び利便性の向上を図ることができる。
【図面の簡単な説明】
【００１６】
【図１】本発明の第１の実施の形態のＸ線ＣＴ装置に設けられている投光系のブロック図である。
【図２】前記第１の実施の形態のＸ線ＣＴ装置に設けられている投光器から被検体に対して光マーカが照射されている様子を示す図である。
【図３】本発明の第２の実施の形態のＸ線ＣＴ装置に設けられている投光系のブロック図である。
【図４】本発明の第３の実施の形態のＸ線ＣＴ装置のブロック図である。
【図５】従来のＸ線ＣＴ装置の外観を示す斜視図である。
【図６】従来のＸ線ＣＴ装置に設けられている投光器から被検体に対して照射された光マーカを示す図である。
【図７】従来のＸ線ＣＴ装置の要部のブロック図である。
【図８】マルチスライス用のＸ線検出器の斜視図である。
【発明を実施するための形態】
【００１７】
〔第１の実施の形態〕
［投光器の構成］
本発明の第１の実施の形態となるＸ線ＣＴ装置は、図８に示したように被検体の体軸方
向に沿って複数列分のＸ線検出器列を有するマルチスライス用のＸ線検出器が設けられた
Ｘ線ＣＴ装置であり、図１に示すようなＸ線の曝射範囲を示す投光器１が設けられている
ことが特徴となっている。
【００１８】
この投光器１は、一つの光マーカを形成する一つの光発生器２と、この光発生器２から
の一つの光マーカに基づいて、Ｘ線の曝射範囲を示す幅Ｌを持った光マーカを形成する幅
形成光学系３とを有している。幅形成光学系３は、光発生器２からの一つの光マーカに光
幅を持たせる幅形成レンズ４と、幅形成レンズ４で形成された幅を持った光マーカを平行
光化して被検体に照射する平行レンズ５とを有しており、この幅形成レンズ４と平行レン
ズ５との間の距離を可変することで、光マーカの幅ＬをＸ線の曝射範囲に対応した幅とす
るようになっている。
【００１９】
このような投光器１は、図５を用いて説明したように架台回転部のガントリの上側（前
記投光器１０２の位置）及び左右横側（前記投光器１０３，１０４の位置）にそれぞれ設
けられており、前記各光マーカにより撮影に先だってＸ線の曝射範囲を被検体上に表示す
るようになっている。
【００２０】
なお、この図１においては、投光器１は、光発生器２と幅形成光学系３とを別々に設け
るかたちで構成されているが、これは、光発生器２内に幅形成光学系３を収納して両者を
一体的として投光器１を構成するようにしてもよい。
【００２１】
［投光器の駆動系の構成］
次に、当該第１の実施の形態のＸ線ＣＴ装置は、架台回転部に設けられた操作パネル６
と、この操作パネル６の操作に応じて前記幅形成光学系３の幅形成レンズ４と平行レンズ
５との間の間隔（距離）を可変制御するレンズ駆動部７とにより、被検体上に表示するＸ
線の曝射範囲を可変するようになっている。
【００２２】
操作パネル６には、Ｘ線の曝射範囲を狭める方向に各レンズ４，５を移動操作するため
の第１の操作キー６ａと、Ｘ線の曝射範囲を広げる方向に各レンズ４，５を移動操作する
ための第２の操作キー６ｂとが設けられている。Ｘ線の曝射範囲は、このいずれかの操作
キー６ａ，６ｂがオン操作された回数（或いは時間）に応じて可変制御されるようになっ
ている。
【００２３】
また、操作パネル６には、各操作キー６ａ，６ｂの操作によりＸ線の曝射範囲が可変調
整されると、これに対応するスライス厚が表示されるようになっている。
【００２４】
なお、各操作キー６ａ，６ｂの代わりにダイヤルキーを設け、このダイヤルキーの操作
に応じて各レンズ４，５を移動制御してＸ線の曝射範囲を可変してもよい。また、いずれ
かの操作キー６ａ，６ｂがオン操作された回数（或いは時間）に応じて各レンズ４，５を
移動制御することを例に挙げて説明したが、これは、スライス厚に対応する複数のスライ
ス厚選択キーを設け、操作者により操作されたスライス厚選択キーのスライス厚に応じて
各レンズ４，５を移動制御してＸ線の曝射範囲を可変するようにしてもよい。
【００２５】
［第１の実施の形態のＸ線ＣＴ装置の動作］
次に、このような構成の投光器１を有する当該第１の実施の形態のＸ線ＣＴ装置の動作
説明をする。
【００２６】
［撮影範囲の決定］
当該第１の実施の形態のＸ線ＣＴ装置は、上述のようにマルチスライス用のＸ線検出器
を有しており、所望の断層像の撮影を行う前に、前記投光器１を用いてこのマルチスライ
ス用のＸ線検出器に対応する撮影範囲の決定を行う。
【００２７】
この撮影範囲の決定を行う場合、操作者は、架台回転部側に設けられた操作パネルのい
ずれかの操作キー６ａ，６ｂを、希望するＸ線の曝射範囲に応じてオン操作する。レンズ
駆動部７は、各操作キー６ａ，６ｂの操作回数に応じて幅形成レンズ４と平行レンズ５と
の間の距離を可変制御する。具体的には、レンズ駆動部７は、操作者により第１の操作キ
ー６ａが操作されると、この第１の操作キー６ａの操作回数に対応してＸ線の曝射範囲を
狭める方向に各レンズ４，５を移動制御して該各レンズ４，５の間の距離を調整する。ま
た、レンズ駆動部７は、操作者により第２の操作キー６ｂが操作されると、この第２の操
作キー６ｂの操作回数に対応してＸ線の曝射範囲を広げる方向に各レンズ４，５を移動制
御して該各レンズ４，５の間の距離を調整する。
【００２８】
光発生器２で形成された一つの光の光マーカは、幅形成レンズ４と平行レンズ５との距
離に応じてその光幅が広げられ、平行レンズ５により平行光化され、幅Ｌの光マーカとし
て被写体に投光される。
【００２９】
図２は、架台回転部のガントリの上側（図５に示す投光器１０２の位置）に設けられて
いる投光器１から被検体の胸部（胸部撮影の場合）に対して前記幅調整された光マーカが
投光されている様子を示している。この図２からわかるように、被検体の背面側に位置し
たマルチスライス用のＸ線検出器１０が、例えば４列分のＸ線検出器列１１を有している
場合、光マーカの幅Ｌは、このＸ線検出器列１１に相当するように、各レンズ４，５の間
を距離を可変制御することで調整され被検体上に投光される。
【００３０】
操作者は、このように被検体上に投光された光マーカの幅を視認しながら前記操作パネ
ル６の各操作キー６ａ，６ｂを操作することで、各レンズ４，５間の距離を可変しながら
Ｘ線の曝射範囲を調整する。当該Ｘ線ＣＴ装置においては、Ｘ線の曝射範囲を調整操作す
るための各操作キー６ａ，６ｂが架台回転部側に設けられているため、Ｘ線の曝射範囲を
間近で確認しながら調整することができる。
【００３１】
なお、この図２は、架台回転部のガントリの上側に設けられている投光器１から被検体
に対して投光される光マーカを示したものであるが、ガントリの左右横側に設けられてい
る各投光器からも同様の光マーカが投光され、被検体の左面側及び右面側のＸ線の曝射範
囲を示すようになっている。
【００３２】
また、この図２の例では、光マーカにより示されるＸ線の曝射範囲は、Ｘ線検出器の１
０のＸ線検出器列１１の数に合致したものとなっているが、これは、一例であり、例えば
４列分のＸ線検出器列１１のうち所望の２列のＸ線検出器列のみを用いて撮影を行う場合
は、該２列のＸ線検出器列の幅に合わせて各レンズ４，５間の距離が調整されることとな
る。
【００３３】
［撮影動作］
次に、このようにして投光器１により撮影位置が決定されると、撮影が開始される。撮
影時となると、Ｘ線管及びマルチスライス用のＸ線検出器が相対向する位置関係を保持し
た状態でガントリの内周を回転することで被検体の周囲を回転し、連続的或いは断続的に
Ｘ線を曝射する。この被検体に曝射されるＸ線の曝射範囲は、上述のように投光器１によ
り設定された範囲となる。そして、被検体にＸ線が曝射されることで形成されたＸ線像を
マルチスライス用のＸ線平面検出器により取り込む。このとき、被検体に対しては被検体
の体軸方向に沿った幅のあるＸ線が曝射されるため、このＸ線の幅に対応するＸ線像がＸ
線検出器の各Ｘ線検出器列で一度に取り込まれることとなる。各Ｘ線検出器列は、それぞ
れ取り込んだＸ線像に対応する電気信号である投影データを形成する。
【００３４】
この投影データは、データ収集部により収集され画像再構成部に供給される。画像再構
成部は、データ収集部からの投影データに基づいて、例えばバックプロジェクション法等
の画像再構成技術を用いて被検体の所望の部位の再構成画像を形成し、これをモニタ装置
や画像記憶装置等に供給する。これにより、被検体の所望の部位の断層像をモニタ装置に
モニタ表示し、或いは記憶装置に記憶することができる。
【００３５】
［第１の実施の形態のＸ線ＣＴ装置の効果］
以上の説明から明らかなように、当該第１の実施の形態のＸ線ＣＴ装置は、投光器１に
より、複数のＸ線検出器列を有するＸ線検出器に対応するＸ線の曝射範囲を被検体上に表
示することができる。このため、投影データの３次元的な収集を行う場合でも、操作者に
対してＸ線曝射範囲を正確に示すことができ、撮影位置の正確な位置決めを可能とするこ
とができる。
【００３６】
〔第２の実施の形態〕
次に、本発明の第２の実施の形態のＸ線ＣＴ装置の説明をする。上述の第１の実施の形
態のＸ線ＣＴ装置は、光発生器２からの一つの光マーカの光幅を、幅形成レンズ４及び平
行レンズ５の間の距離を可変制御して変更する投光器１を設けたものであったが、この第
２の実施の形態のＸ線ＣＴ装置は、それぞれ光マーカを形成する投光器を２つ設け、該各
投光器間の距離を可変することで各光マーカの距離を可変して、Ｘ線の曝射範囲の幅を示
すようにしたものである。なお、上述の第１の実施の形態と当該第２の実施の形態とでは
、この点のみが異なるため、以下、この差異の説明のみ行い重複説明は省略することとす
る。
【００３７】
［第２の実施の形態の構成］
この第２の実施の形態のＸ線ＣＴ装置は、図３に示すように第１の光マーカＭ１を形成
する第１の投光器２１と、第２の光マーカＭ２を形成する第２の投光器２２と、前記操作
パネル６の各操作キー６ａ，６ｂの操作に対応して各投光器２１，２２を被検体の体軸方
向に沿ってそれぞれ移動制御する投光器駆動機構２３とを有している。
【００３８】
［第２の実施の形態の動作］
このようなＸ線ＣＴ装置は、撮影前において操作者により架台回転部側に設けられてい
る操作パネル６の各操作キー６ａ，６ｂが操作されると、投光器駆動機構２３が、該各操
作キー６ａ，６ｂの操作に対応して各投光器２１，２２を被検体の体軸方向に沿ってそれ
ぞれ移動制御する。
【００３９】
図３に実線で示すように第１の投光器２１から被検体に対しては、Ｘ線の曝射範囲（幅
）の一端を示す第１の光マーカＭ１が照射され、第２の投光器２２から被検体に対しては
、Ｘ線の曝射範囲（幅）の他端を示す第２の光マーカＭ２が照射される。このため、各操
作キー６ａ，６ｂの操作に対応して各投光器２１，２２を被検体の体軸方向に沿ってそれ
ぞれ移動制御することで、各光マーカＭ１，Ｍ２の間の距離Ｌが変わり、Ｘ線の曝射範囲
が変更されることとなる。
【００４０】
上述のように、各操作キー６ａ，６ｂは架台回転部側に設けられているため、操作者は
、各光マーカＭ１，Ｍ２の間の距離を実際に目で確認しながらＸ線の曝射範の調整を行う
。そして、このＸ線の曝射範囲の調整後に撮影を開始することとなる。
【００４１】
［第２の実施の形態の効果］
以上の説明から明らかなように、当該第２の実施の形態のＸ線ＣＴ装置は、第１，第２
の投光器２１，２２を移動制御することで、第１，第２の光マーカＭ１，Ｍ２の間の距離
Ｌを可変してＸ線の曝射範囲を表示する。これにより、上述の第１の実施の形態と同じ効
果を得ることができる。
【００４２】
〔第３の実施の形態〕
次に、本発明の第３の実施の形態のＸ線ＣＴ装置の説明をする。この第３の実施の形態
のＸ線ＣＴ装置は、上述のいずれかの実施の形態のＸ線ＣＴ装置に設けられている投光器
１或いは投光器２１，２２により調整されたＸ線の曝射範囲（スライス厚）に基づいて自
動的にスキャンプランを形成し、これを撮影に反映させるようにしたものである。なお、
上述の各実施の形態と当該第３の実施の形態とでは、この点のみが異なるため、以下、こ
の差異の説明のみ行い重複説明は省略することとする。
【００４３】
［第３の実施の形態の構成］
この第３の実施の形態のＸ線ＣＴ装置は、図４に示すように相対向する位置関係を保持
した状態で被検体の外周を回転するＸ線管３６及びマルチスライス用のＸ線検出器１０に
よりＸ線像の撮影を行う架台回転部３５と、設定されたＸ線曝射範囲に基づいて自動的に
スキャンプランを形成し、このスキャンプランに基づいて撮影を制御するコンソール３０
とを有している。
【００４４】
架台回転部３５には、前記操作パネル６と共に、該操作パネル６の操作に応じて前記投
光器１（又は前記投光器２１，２２）を駆動してＸ線曝射範囲（スライス厚）を被検体上
に表示する投光幅制御部２９と、操作パネル６の操作により調整されたＸ線曝射範囲に基
づいて、設定されたスライス厚を読み取るスライス厚読み取り部３１とが設けられている
。
【００４５】
なお、投光幅制御部２９は、投光器として図１に示した各レンズ４，５の間の距離を可
変するタイプのものが設けられている場合にはレンズ駆動部７となり、投光器として図３
に示した各投光器２１，２２の間の距離を可変するタイプのものが設けられている場合に
は投光器駆動機構２３となる。
【００４６】
また、投光幅制御部２９を架台回転部３５側に設けることにより、投光幅制御部２９と
投光器１（又は前記投光器２１，２２）とを接続するケーブルの長さを短くすることがで
き、不要輻射ノイズ等の発生を抑制してＥＭＣノイズ対策が図られている。
【００４７】
コンソール３０には、前記架台回転部３５側に設けられたスライス厚読み取り部３１で
読み取られたスライス厚に基づいて、対応するスキャンプランを形成するスキャンプラン
形成部３２と、スキャンプラン形成部３２で形成されたスキャンプランを記憶するスキャ
ンプラン記憶部３３と、スキャンプラン記憶部３３に記憶されたスキャンプランに基づい
て架台回転部３５の撮影制御を行う撮影制御部３４とを有している。
【００４８】
［第３の実施の形態の動作］
このような構成を有する当該第３の実施の形態のＸ線ＣＴ装置は、撮影前において、操
作者が操作パネル６を操作すると、上述の第１の実施の形態或いは第２の実施の形態のＸ
線ＣＴ装置のように、投光幅制御部２９がこの操作パネル６の操作に対応して各レンズ４
，５の間の距離、或いは各投光器２１，２２の間の距離を可変制御してＸ線の曝射範囲を
可変する。
【００４９】
スライス厚読み取り部３１は、操作パネル６の操作（光マーカの幅＝Ｘ線の曝射範囲）
に対応するスライス厚を読み取り、このスライス厚を示すデータをコンソール３０のスキ
ャンプラン形成部３２に供給する。スキャンプラン形成部３２は、このスライス厚を示す
データに基づいて、マルチスライス用のＸ線検出器１０のスライス厚に応じた最適な撮影
条件となるように、スキャンプランのスライス像の条件を形成し、これをスキャンプラン
記憶部３３に記憶制御する。
【００５０】
撮影制御部３４は、操作者により撮影開始が指定されると、撮影スキャンプラン記憶部
３３に記憶されたスキャンプランを読み出し、このスキャンプランに基づいて架台回転部
３５を撮影制御する。これにより、操作パネル６を操作することで調整されたＸ線の曝射
範囲（スライス厚）に基づいて自動的にスキャンプランを形成し、これを撮影に反映させ
ることができる。
【００５１】
［第３の実施の形態の効果］
以上の説明から明らかなように、当該第３の実施の形態のＸ線ＣＴ装置は、操作者によ
りＸ線の曝射範囲（スライス厚）が設定されると、この設定されたＸ線の曝射範囲に応じ
てスキャンプランを自動的に形成し、撮影に反映させることができる。このため、Ｘ線の
曝射範囲の設定後に新ためてスキャンプランの入力を行う手間を省略することができ、当
該Ｘ線ＣＴ装置の操作性の向上及び利便性の向上を図ることができる。
【００５２】
〔本発明の他の適用例〕
最後に、上述の各実施の形態は本発明の一例である。このため、第１の実施の形態及び
第２の実施の形態で説明した各投光器１及び２１，２２による曝射範囲の表示形態は、曝
射範囲表示手段の一例にすぎない。
【００５３】
従って、例えば屈折率の異なる複数の光学ユニットを用意し、これらをスライス厚に応
じて自動或いは手動で入れ換えて曝射範囲を表示するようにしてもよい。
【００５４】
また、投光器１（或いは、投光器２１，２２）と被検体の間にスリットを設け、投光器
１からの光マーカを所定分斜光することで光マーカの幅を所望のスライス厚に対応する幅
として被検体に投光するようにしてもよい。
【００５５】
そして、これら以外の実施の形態であっても、本発明に係る技術的思想を逸脱しない範
囲であれば、例えば設計等に応じて種々の変更が可能であることは勿論である。
【符号の説明】
【００５６】
１…投光器、２…光発生器、３…幅形成光学系、４…幅形成レンズ、５…平行レンズ、６
…操作パネル、７…レンズ駆動部、１０…マルチスライス用のＸ線検出器、１１…Ｘ線検
出器列、２１…第１の投光器、２２…第２の投光器、２３…投光器駆動機構、２９…投光
幅制御部、３０…コンソール、３１…スライス厚読み取り部、３２…スキャンプラン形成
部、３３…スキャンプラン記憶部、３４…撮影制御部、３５…架台回転部、３６…Ｘ線管
【図１】
2010162385.tif 000003
【図２】
2010162385.tif 000004
【図３】
2010162385.tif 000005
【図４】
2010162385.tif 000006
【図５】
2010162385.tif 000007
【図６】
2010162385.tif 000008
【図７】
2010162385.tif 000009
【図８】
2010162385.tif 000010